(57)【特許請求の範囲】
【請求項１】
本体ユニットと、前記本体ユニットの上方に設けられた読取ユニットとを有し、
前記読取ユニットは、
少なくとも前記読取ユニットの底部を構成するベース部と、
読取対象を支持する支持面を有し、前記ベース部の内底面との間に間隔を空けて配置された支持部と、
前記支持部と前記ベース部の内底面との間に配置され、前記支持部によって支持された前記読取対象の画像を読み取る読取部と、
前記支持面内に設定された検出対象箇所に読取対象が存在するか否かを検出可能な検出部と、
を備え、
前記本体ユニットは、
被記録媒体に対して画像を形成する記録ヘッドを有する画像形成部と、
電子回路基板を有し、前記読取部及び前記画像形成部を制御する制御部と、
前記画像形成部及び前記制御部の上方に配置されて、前記本体ユニットの上面を構成するカバーと、
を備え、
前記カバーは、その上面に、前記検出部の下方に配置される領域である第一領域、前記制御部の上方に配置される領域である第二領域、及び前記記録ヘッドの移動範囲の上方に配置される領域である第三領域を有し、前記第一領域、前記第二領域、及び前記第三領域は、上方から見たときに互いに重ならない位置にあり、前記第一領域には、前記第二領域及び前記第三領域の上端位置よりも下方に向かって凹んだ形状の凹部が設けられて、前記凹部の内底面は、前記第二領域及び前記第三領域の上端位置よりも低い位置にあり、
前記ベース部は、その上面に、下向きに凹んだ形状とされて前記検出部を収容可能に構成された収容部を有し、前記ベース部の下面において前記収容部に対応する箇所には、下向きに突出する凸部を有し、前記凸部が前記カバーの上面にある前記凹部に入り込むように構成され、
前記検出部は、
光センサと、
前記光センサを保持するホルダと、
を備え、
前記収容部に収容された前記検出部は、前記ホルダの下端が、前記カバーにおける前記第二領域及び前記第三領域の上端位置よりも低い位置にある
画像処理装置。
【請求項２】
請求項１に記載の画像処理装置であって、
前記光センサが、前記読取対象に対して投光する投光素子、及び前記読取対象からの反射光を受光する受光素子を有する反射型の光センサである
画像処理装置。
【請求項３】
請求項２に記載の画像処理装置であって、
前記ホルダのうち、前記読取部の移動範囲の下方に配置された部分の上端位置は、前記ベース部の内底面における前記第二領域の上方にある箇所よりも低い位置に設けられている
画像処理装置。
【請求項４】
請求項２又は請求項３に記載の画像処理装置であって、
前記収容部には、前記ベース部に対する前記検出部の相対位置を位置決め可能な位置決め部が設けられている
画像処理装置。
【請求項５】
請求項２から請求項４までのいずれか一項に記載の画像処理装置であって、
一端が前記光センサに接続され、他端が前記電子回路基板に接続されるケーブルを備え、
前記ホルダは、前記ケーブルを保持するケーブル保持部、及び前記光センサを保持するセンサ保持部を備え、
前記ケーブルは、前記ベース部の上方、かつ前記ケーブル保持部に覆われる位置に配置されている
画像処理装置。
【請求項６】
請求項５に記載の画像処理装置であって、
前記ケーブル保持部には、前記ケーブルが引っ掛けられることにより、前記ケーブルが前記ケーブル保持部から外れるのを抑制する爪が設けられている
画像処理装置。
【請求項７】
請求項６に記載の画像処理装置であって、
前記ケーブル保持部には、前記ベース部に引っ掛かることにより、前記ケーブル保持部が前記ベース部から離れる方向へ変位するのを規制する規制部が設けられている
画像処理装置。
【請求項８】
請求項７に記載の画像処理装置であって、
前記規制部は、前記ケーブルに接触することにより、前記ケーブルが前記規制部を挟んで前記ケーブルとは反対側にある位置へと変位することをも規制している
画像処理装置。
【請求項９】
請求項５から請求項８までのいずれか一項に記載の画像処理装置であって、
前記ホルダは、前記ケーブル保持部が一方向に延びる形状とされて、その長手方向の一端に前記センサ保持部が設けられた構造とされており、
しかも、前記ホルダは、前記センサ保持部が設けられた端部に、前記ベース部が有する被挿入部に挿し込まれる挿入部を有し、前記センサ保持部が設けられた端部とは反対側の端部に、前記ベース部に対してねじ止めされるねじ止め部を有し、前記挿入部を前記被挿入部に挿し込んでから、前記ねじ止め部を前記ベース部に対してねじ止めすることにより、前記ホルダを前記ベース部に対して取り付け可能に構成されている
画像処理装置。
【請求項１０】
請求項１から請求項９までのいずれか一項に記載の画像処理装置であって、
前記支持部は、上方から見て四角形に構成されて、その四つの角のうち、一つの角に対応する位置に原点位置が設定され、
前記読取部は、主走査方向に配列された複数の読取素子を、副走査方向へ移動させながら、前記読取対象の画像を読み取り可能に構成され、
前記検出部は、Ａ４サイズの前記読取対象を前記支持部によって支持した際に、前記読取対象の長辺と前記副走査方向とを一致させて前記読取対象の角を前記原点位置に合わせると、前記読取対象の存在を検出可能、かつ、前記読取対象の長辺と前記主走査方向とを一致させて前記読取対象の角を前記原点位置に合わせると、前記読取対象の存在を検出不能となる位置に配置されている
画像処理装置。
【発明の詳細な説明】
【技術分野】
【０００１】
本開示は、画像処理装置に関する。
【背景技術】
【０００２】
支持部の上に載置された原稿のサイズを検知する検出部付きの画像読取装置が知られている（例えば、特許文献１参照。）。特許文献１に記載の画像読取装置の場合、検出部（サイズセンサ）が、支持部（プラテンガラス）の周縁付近かつ支持部の下方となる位置に配置されている。
【先行技術文献】
【特許文献】
【０００３】
【特許文献１】特許５０１９２３９号公報
【発明の概要】
【発明が解決しようとする課題】
【０００４】
しかし、上述のような検出部を支持部の略中央付近の直下に配置したい場合、ベース部の上方に検出部を配置して、その検出部の上方にイメージセンサを搭載したキャリッジの移動空間を確保し、更にその移動空間の上方に支持部を配置すると、これらの構成が高さ方向に積み上がる。そのため、装置全体としても高さ方向寸法が増大し、装置の薄型化が難しくなる、という問題があった。
【０００５】
以上のような事情から、検出部が支持部の直下に配置されているにもかかわらず、検出部周辺の構造を薄型化することが可能な画像処理装置を提供することが望ましい。
【課題を解決するための手段】
【０００６】
以下に説明する画像処理装置は、本体ユニットと、本体ユニットの上方に設けられた読取ユニットとを有し、読取ユニットは、少なくとも読取ユニットの底部を構成するベース部と、読取対象を支持する支持面を有し、ベース部の内底面との間に間隔を空けて配置された支持部と、支持部とベース部の内底面との間に配置され、支持部によって支持された読取対象の画像を読み取る読取部と、支持面内に設定された検出対象箇所に読取対象が存在するか否かを検出可能な検出部と、を備え、本体ユニットは、被記録媒体に対して画像を形成する記録ヘッドを有する画像形成部と、電子回路基板を有し、読取部及び画像形成部を制御する制御部と、画像形成部及び制御部の上方に配置されて、本体ユニットの上面を構成するカバーと、を備え、カバーは、その上面に、検出部の下方に配置される領域である第一領域、制御部の上方に配置される領域である第二領域、及び記録ヘッドの移動範囲の上方に配置される領域である第三領域を有し、第一領域には、下向きに凹んだ形状の凹部が設けられて、凹部の内底面（凹部の内側における底面。）は、第二領域及び第三領域の上端位置よりも低い位置にあり、ベース部は、その上面に、下向きに凹んだ形状とされて検出部を収容可能に構成された収容部を有し、ベース部の下面において収容部に対応する箇所には、下向きに突出する凸部を有し、凸部がカバーの上面にある凹部に入り込むように構成され、収容部に収容された検出部の下端は、カバーにおける第二領域及び第三領域の上端位置よりも低い位置にある。
【０００７】
このように構成された画像処理装置によれば、検出部の下端が、カバー上面にある第二領域及び第三領域の上端位置よりも低い位置にある。したがって、カバーの上端位置よりも上方となる位置に検出部が配置される場合に比べ、装置の高さ方向寸法を低くすることができ、装置の薄型化を図ることができる。
【図面の簡単な説明】
【０００８】
【図１】図１は複合機の外観を示す斜視図である。
【図２】図２はベース部、検出部、読取部、制御部、及び記録ヘッドの位置関係を平面視で示した説明図である。
【図３】図３はベース部、カバー、検出部、読取部、制御部、及び記録ヘッドの位置関係を図２中にＩＩＩ−ＩＩＩ線で示した切断面で示した説明図である。
【図４】図４は検出部、プラテン、及びサイズが異なる読取対象の位置関係を平面視で示した説明図である。
【図５】図５Ａは検出部を左前上方から見た斜視図である。図５Ｂは検出部を左後下方から見た斜視図である。
【図６】図６Ａは検出部を示す正面図である。図６Ｂは検出部を示す底面図である。図６Ｃは図６Ａ中にＶＩＣ−ＶＩＣ線で示した切断箇所の拡大断面図である。
【図７】図７Ａは図２中にＶＩＩＡ−ＶＩＩＡ線で示した切断箇所の断面図である。図７Ｂは図７Ａ中に示すＶＩＩＢ部の拡大図である。図７Ｃは図７Ａ中に示すＶＩＩＣ部の拡大図である。図７Ｄは図７Ａ中に示すＶＩＩＤ部の拡大図である。
【図８】図８は図３中に示すＶＩＩＩ部の拡大図である。
【発明を実施するための形態】
【０００９】
次に、上述の画像処理装置について、例示的な実施形態を挙げて説明する。
［複合機の構成］
図１に示す複合機１は、上述の画像処理装置の一例に相当する装置である。複合機１は、本体ユニット２と、読取ユニット３と、自動原稿搬送ユニット４とを備える。以下、自動原稿搬送ユニット４のことをＡＤＦユニット４と称する（ＡＤＦはAutomatic Document Feederの略称である。）。本体ユニット２には操作パネル５が設けられている。なお、以下の説明では、複合機１を水平面上に設置した場合における、水平面に直交する方向のことを上下方向と規定する。また、複合機１を水平面上に設置した場合における、操作パネル５が向けられる方向を前方、前方の反対方向を後方、上記前方から複合機１を見た場合に左側面が向けられる方向を左方、上記前方から複合機１を見た場合に右側面が向けられる方向を右方と規定する。ただし、これらの各方向は、複合機１を構成する各部の相対的な位置関係を簡潔に説明するために規定したものに過ぎない。したがって、例えば、複合機１を設置するに当たって、複合機１をどのような方向に向けて設置するのかは任意である。
【００１０】
読取ユニット３は、本体ユニット２の上に搭載されている。読取ユニット３は、本体ユニット２に対して開閉可能に取り付けられ、読取ユニット３が閉じられた状態において、本体ユニット２の上面は読取ユニット３によって覆われている。読取ユニット３が開かれた場合には、本体ユニット２の上面から、本体ユニット２の内部機構に対するメンテナンス等を実施することができる。ＡＤＦユニット４は、読取ユニット３の上側に搭載されている。ＡＤＦユニット４は、読取ユニット３に対して開閉可能に取り付けられ、ＡＤＦユニット４が閉じられた場合、ＡＤＦユニット４は読取ユニット３の上面を覆う原稿カバーとして機能する。
【００１１】
操作パネル５は、利用者が複合機１に対して各種指令を与える際に操作する入力装置（例えば、タッチパネル、各種ボタン類、及びスイッチ類。）と、複合機１の動作状態などを利用者に通知するための出力装置（例えば、液晶ディスプレイ装置、及び各種ランプ類。）を有する。操作パネル５の下方には、画像形成部において画像が形成された被記録媒体を取り出すための取り出し口７が設けられている。取り出し口７の下方には、画像形成部へ供給される被記録媒体が収容される媒体供給カセット９が取り付けられている。
【００１２】
読取ユニット３は、図２及び図３に示すように、ベース部１１、支持部１３、読取部１５、及び検出部１７を備える。本体ユニット２は、画像形成部２１、制御部２３、及びカバー２５を備える。ベース部１１は、少なくとも読取ユニット３の底部を構成する樹脂製の成形品である。ベース部１１の内底面１１Ａ（ベース部１１の内側における底面。）には、下向きに凹んだ形状とされた収容部３１が設けられている。この収容部３１には、検出部１７が収容されている。より具体的には、検出部１７のセンサ保持部４３が収容部３１の凹みに収容される。ベース部１１の下面において収容部３１に対応する箇所には、下向きに突出する凸部３３が形成されている。図３及び図７等に示すように、ベース部１１の内底面１１Ａは、多少の凹凸を含みつつ、略水平に広がる形状である。収容部３１が設けられた箇所は、それ以外の内底面１１Ａに対して、大きく下向きに凹んでいる。
【００１３】
支持部１３は、図３に示すように、ベース部１１の内底面１１Ａとの間に間隔を空けて配置されている。支持部１３の上面は、読取対象を支持する支持面として利用される。支持部１３は、図４に示すように、上方から見て四角形に構成されて、その四つの角のうち、一つの角（図４中でいう左後方の角。）に対応する位置に原点位置Ｐ０が設定されている。この原点位置Ｐ０は、支持部１３に載置された読取対象と支持部１３との位置決めを行う際に、基準とされる位置である。
【００１４】
読取部１５は、図３に示すように、支持部１３とベース部１１の内底面１１Ａとの間に配置されている。読取部１５は、支持部１３によって支持された読取対象の画像を読み取り可能に構成されている。より詳しくは、読取部１５には、主走査方向（図２中でいう前後方向。）へ配列された複数の読取素子を有するイメージセンサ（本実施形態の場合はＣＩＳ（Contact Image Sensor）。）が設けられている。このイメージセンサは、副走査方向（図２中でいう左右方向。）へ往復移動可能なキャリッジに搭載されている。これにより、読取部１５は、主走査方向に配列された複数の読取素子を、副走査方向へ移動させながら、読取対象の画像を読み取ることができる。
【００１５】
検出部１７は、図４、図５Ａ、及び図５Ｂに示すように、反射型の光センサ３５と、光センサ３５を保持するホルダ３７とを備える。光センサ３５は、投光素子３５Ａ及び受光素子３５Ｂを有し、投光素子３５Ａから読取対象に対して投光して、読取対象からの反射光を受光素子３５Ｂで受光可能に構成されている。光センサ３５には、ケーブル３９の一端が接続されている。ホルダ３７は、ケーブル３９を保持するケーブル保持部４１、及び光センサ３５を保持するセンサ保持部４３を備える。ホルダ３７は、ケーブル保持部４１が一方向に延びる形状とされて、その長手方向の一端にセンサ保持部４３が設けられた構造とされている。本実施形態では、ホルダ３７は、左右方向（副走査方向）に沿って延びるようにベース部１１の内底面１１Ａに取り付けられる。ホルダ３７の右端部にセンサ保持部４３が位置している。センサ保持部４３の左端から、さらに左に向かってケーブル保持部４１が延びている。
【００１６】
ケーブル保持部４１には、図５Ｂ、図６Ｂ、及び図６Ｃに示すように、複数（本実施形態では四つ。）の爪４５が設けられている。各爪４５は、ケーブル保持部４１がベース部１１に取り付けられた場合に、内底面１１Ａと対向する部分に設けられている。図６Ｃに示すように、爪４５が設けられた箇所において、ケーブル保持部４１の断面形状は、四角形を構成する四辺のうちの三辺に相当する箇所が壁面で塞がれて残りの一辺に相当する箇所が開放された形状とされ、この開放された箇所からケーブル３９が引っ掛けられる。これにより、ケーブル３９がケーブル保持部４１から外れるのを爪４５によって抑制することができる。ケーブル保持部４１には、図５Ｂ、図６Ｂ、図７Ａ、及び図７Ｃに示すように、複数（本実施形態では六つ。）の規制部４７が設けられている。各規制部４７も、ケーブル保持部４１がベース部１１に取り付けられた場合に、内底面１１Ａと対向する部分に設けられている。一方、ベース部１１の内底面１１Ａには、支持部１３に向かって突出する受け部４９が複数箇所に形成されている。規制部４７は、検出部１７がベース部１１に取り付けられる際に、図７Ｃに示すように、ベース部１１の受け部４９に引っ掛かることにより、ケーブル保持部４１がベース部１１の内底面１１Ａから離れる方向へ変位するのを規制する。
【００１７】
また、これら複数の規制部４７のうち、いくつか（本実施形態では三つ。）の規制部４７は、ケーブル３９に接触し得る位置にある。これにより、ケーブル３９が規制部４７に近づく方向へ変位した場合には、規制部４７がケーブル３９に接触して、ケーブル３９が規制部４７を挟んでケーブル３９とは反対側にある位置（本実施形態の場合は規制部４７よりも後方。）へと変位することをも規制する。
【００１８】
ホルダ３７は、図５Ａ、図５Ｂ、図６Ａ、図６Ｂ、図７Ａ、及び図７Ｄに示すように、センサ保持部４３が設けられた端部に、挿入部５１を有する。挿入部５１は、センサ保持部４３の右端からさらに右方向に突出する部分である。この挿入部５１は、検出部１７がベース部１１に取り付けられる際に、図７Ｄに示すように、ベース部１１の内底面１１Ａに設けられた被挿入部５３に挿し込まれる。被挿入部５３は、収容部３１の右端において右方へと凹む形状に形成されている。センサ保持部４３が収容部３１に収容されると、挿入部５１に対して上から対向する天井面５４で挿入部５１に接触し、挿入部５１が上方へ変位するのを規制する。また、センサ保持部４３には、位置決め部５５が設けられている。一方、収容部３１の底面にはセンサ保持部４３に向かって突出する当て部５７が設けられている。検出部１７がベース部１１に取り付けられる際には、上述の挿入部５１が被挿入部５３に挿し込まれた後、検出部１７を図７Ｄ中でいう左方へと変位させる。これにより、収容部３１の底面にある当て部５７に位置決め部５５が接触し、ベース部１１に対する検出部１７の相対位置が位置決めされる。
【００１９】
ホルダ３７において、センサ保持部４３が設けられた端部とは反対側の端部には、図５Ａ、図５Ｂ、図６Ｂ、図７Ａ、及び図７Ｂに示すように、ベース部１１に対してねじ止めされるねじ止め部５９が設けられている。検出部１７がベース部１１に取り付けられる際には、上述の挿入部５１が被挿入部５３に挿し込まれ、位置決め部５５によってベース部１１に対する検出部１７の相対位置が位置決めされた後、ねじ止め部５９がベース部１１に対してねじ止めされる。これにより、一つのねじ６１を締めるだけで、ホルダ３７をベース部１１に対して取り付けることができる。このようにしてホルダ３７をベース部１１に対して取り付けると、ケーブル３９は、ベース部１１の上方、かつケーブル保持部４１に覆われる位置に配置されることになる。
【００２０】
以上のように構成された検出部１７は、光センサ３５の上方を検出対象箇所として、検出対象箇所に、読取対象が存在するか否かを検出することができる。本実施形態において、光センサ３５による検出対象箇所は、図４に示すように、支持部１３にＡ４サイズの読取対象を横置きした場合に、読取対象が重なる範囲と（図４中に示す範囲Ｓ１。）、支持部１３にＡ４サイズの読取対象を縦置きした場合に、読取対象が重ならない範囲（図４中に示す範囲Ｓ２以外の範囲。）とが、重複する範囲内となるように設定されている。ここでいう横置きとは、読取対象を支持部１３に載置する際に、読取対象の長辺と副走査方向とを一致させ、かつ読取対象の角を原点位置Ｐ０に合わせるようにする置き方である。また、縦置きとは、読取対象を支持部１３に載置する際に、読取対象の長辺と主走査方向とを一致させ、かつ読取対象の角を原点位置Ｐ０に合わせるようにする置き方である。
【００２１】
画像形成部２１は、図２及び図３に示すように、被記録媒体に対して画像を形成する記録ヘッド２１Ａを有する。本実施形態の場合、記録ヘッド２１Ａは、インクジェット方式で被記録媒体に対して画像を形成可能に構成されている。この他、画像形成部２１は、記録ヘッド２１Ａを往復移動させる駆動機構や、記録ヘッド２１Ａにインクを供給するインク供給機構などを備えているが、これらはインクジェット方式の画像形成装置における周知の構成なので図示を省略する。制御部２３は、電子回路基板２３Ａを有し、この電子回路基板２３Ａ上に実装されたマイクロコントローラ等によって、読取部１５及び画像形成部２１を制御可能に構成されている。上述の光センサ３５に一端が接続されたケーブル３９は、その他端が電子回路基板２３Ａに接続されている。
【００２２】
カバー２５は、少なくとも本体ユニット２の上面を構成する樹脂製の成形品であり、画像形成部２１及び制御部２３の上方に配置されている。カバー２５の上面には、検出部１７の下方に配置される領域である第一領域２５１、制御部２３の上方に配置される領域である第二領域２５２、及び記録ヘッド２１Ａの移動範囲の上方に配置される領域である第三領域２５３が設けられている。すなわち、前後方向において、第二領域２５２と第三領域２５３との間に第一領域２５１が位置している。この第一領域２５１の少なくとも一部には、下向きに凹んだ形状の凹部６５が設けられている。ベース部１１の下面にある凸部３３は、カバー２５の上面にある凹部６５に入り込むように構成されている。
【００２３】
第一領域２５１にある凹部６５の内底面６５Ａ（凹部の内側における底面。）は、図８に示すように、高さ方向の位置が位置Ｈ１にある。検出部１７が有するホルダ３７の下端は、高さ方向の位置が位置Ｈ２にある。第三領域２５３の上端は、高さ方向の位置が位置Ｈ３にある。第二領域２５２の上端は、高さ方向の位置が位置Ｈ４にある。ホルダ３７のうち、読取部１５の移動範囲の下方に配置された部分の上端は、高さ方向の位置が位置Ｈ５にある。ベース部１１の内底面１１Ａにおける第二領域２５２の上方にある箇所は、高さ方向の位置が位置Ｈ６にある。
【００２４】
したがって、凹部６５の内底面６５Ａの高さ位置Ｈ１は、カバー２５における第二領域２５２の上端位置Ｈ４、及びカバー２５における第三領域２５３の上端位置Ｈ３よりも低い位置になっている。また、収容部３１に収容された検出部１７の下端の高さ位置Ｈ２は、カバー２５における第二領域２５２の上端位置Ｈ４、及びカバー２５における第三領域２５３の上端位置Ｈ３よりも低い位置になっている。より詳しくは、検出部１７は、ホルダ３７の下端の高さ位置Ｈ２が、カバー２５における第二領域２５２の上端位置Ｈ４、及びカバー２５における第三領域２５３の上端位置Ｈ３よりも低い位置にある。また、ホルダ３７のうち、読取部１５の移動範囲の下方に配置された部分の上端位置Ｈ５は、ベース部１１の内底面１１Ａにおける第二領域２５２の上方にある箇所の高さ位置Ｈ６よりも低い位置に設けられている。
【００２５】
［効果］
以上のように構成された複合機１によれば、検出部１７の下端が、カバー２５上面にある第二領域２５２の上端位置Ｈ４、及び第三領域２５３の上端位置Ｈ３よりも低い位置Ｈ２にある。したがって、カバー２５の上端位置（本実施形態の場合は第二領域２５２の上端位置Ｈ４）よりも上方となる位置に検出部１７が配置される場合に比べ、装置の高さ方向寸法を低くすることができ、装置の薄型化を図ることができる。
【００２６】
また、本実施形態の場合、ホルダ３７のうち、読取部の移動範囲の下方に配置された部分の上端位置Ｈ５は、ベース部１１の内底面１１Ａにおける第二領域２５２の上方にある箇所の高さ位置Ｈ６よりも低い位置に設けられている。したがって、ベース部１１の内底面１１Ａにおける第二領域２５２の上方にある箇所よりも高い位置において作動する読取部１５が、ホルダ３７に接触するのを避けることができる。
【００２７】
また、本実施形態の場合、ホルダ３７のセンサ保持部４３の下面に形成された位置決め部５５を利用してベース部１１に対する検出部１７の相対位置を位置決めすることができる。したがって、検出部１７をベース部１１に取り付ける際に、検出部１７を設計通りの位置に精度よく取り付けることができる。
【００２８】
また、本実施形態の場合、ホルダ３７は、ケーブル３９を保持するケーブル保持部４１、及び光センサ３５を保持するセンサ保持部４３を備え、ケーブル３９は、ベース部１１の上方、かつケーブル保持部４１に覆われる位置に配置される。したがって、ケーブル３９を設計通りの位置に配線することができ、そのような位置に配線されたケーブル３９が浮き上がるのを抑制できる。
【００２９】
また、本実施形態の場合、ケーブル保持部４１には爪４５が設けられ、爪４５にケーブル３９が引っ掛けられることにより、ケーブル３９がケーブル保持部４１から外れにくくなっている。したがって、例えば組み立て作業時等に、ケーブル３９を扱いやすくすることができる。
【００３０】
また、本実施形態の場合、ケーブル保持部４１には規制部４７が設けられ、規制部４７をベース部１１に形成された受け部４９に引っ掛けることにより、ケーブル保持部４１をベース部１１から離れないようにすることができる。したがって、ケーブル保持部４１がベース部１１から浮き上がるのを抑制することができる。
【００３１】
また、本実施形態の場合、いくつかの規制部４７は、ケーブル３９の変位をも規制している。したがって、規制部４７と爪４５が協働して、ケーブル３９をケーブル保持部４１から外れにくくすることができる。
【００３２】
また、本実施形態の場合、ホルダ３７には、上述のような挿入部５１、及びねじ止め部５９が設けられているので、挿入部５１をベース部１１に設けられた被挿入部５３に挿し込んでから、ねじ止め部５９をベース部１１に対してねじ止めする、という簡単な作業により、ホルダ３７をベース部１１に取り付けることができる。
【００３３】
また、本実施形態の場合、検出部１７によって読取対象の存在を検出できれば、Ａ４サイズの読取対象かつ読取対象の長辺と副走査方向とが一致する場合（以下、Ａ４横の場合とも称する。）、又はＡ３サイズの読取対象である場合（以下、Ａ３横の場合とも称する。）、いずれかの場合であると推定できる。また、検出部１７によって読取対象の存在を検出できなければ、Ａ４サイズの読取対象かつ読取対象の長辺と主走査方向とが一致する場合（以下、Ａ４縦の場合とも称する。）であると推定できる。Ａ４横の場合であるのか、Ａ３横の場合であるのかは、読取部１５によって読取対象の画像の読み取りを開始すれば、判別することができる。したがって、上述のような位置に検出部１７を配置すれば、読取部１５での読み取り結果も踏まえて、Ａ３横の場合、Ａ４横の場合、及びＡ４縦の場合の全てについて、適切に判別を行うことができる。
【００３４】
［他の実施形態］
以上、画像処理装置について、例示的な実施形態を挙げて説明したが、上述の実施形態は本開示の一態様として例示されるものに過ぎない。すなわち、本開示は、上述の例示的な実施形態に限定されるものではなく、本開示の技術的思想を逸脱しない範囲内において、様々な形態で実施することができる。
【００３５】
例えば、上記実施形態では、検出部１７が、光センサ３５とホルダ３７とで構成され、ホルダ３７はベース部１１とは別体の部品とされていたが、ホルダ３７相当の構成をベース部１１と一体成形して、その部分に光センサ３５が組み込まれてもよい。この場合、位置決め部５５のような構成は省略することができる。
【００３６】
また、上記実施形態では、ホルダ３７が挿入部５１とねじ止め部５９を利用して、ベース部１１に対して固定されるように構成されていたが、周知の他の固定機構を利用してホルダ３７がベース部１１に固定されるように構成されていてもよい。
【００３７】
また、上記実施形態において、一つの構成要素で実現していた所定の機能を、複数の構成要素が協働して実現するように構成してあってもよい。あるいは、上記実施形態では、複数の構成要素それぞれが有していた複数の機能や、複数の構成要素が協働して実現していた所定の機能を、一つの構成要素が実現するように構成してあってもよい。また、上記実施形態の構成の一部を省略してもよい。また、上記実施形態の構成の少なくとも一部を、他の上記実施形態の構成に対して付加又は置換してもよい。また、上述した画像処理装置の他、当該画像処理装置を構成要素とするシステムなど、種々の形態で本開示を実現することもできる。
【００３８】
［補足］
なお、以上説明した例示的な実施形態から明らかなように、本開示の画像処理装置は、更に以下に挙げるような構成を備えていてもよい。
【００３９】
まず、本開示の画像処理装置において、検出部は、読取対象に対して投光する投光素子、及び読取対象からの反射光を受光する受光素子を有する反射型の光センサと、光センサを保持するホルダと、を備え、収容部に収容された検出部は、ホルダの下端が、第二領域及び第三領域の上端位置よりも低い位置にあってもよい。
【００４０】
また、本開示の画像処理装置において、ホルダのうち、読取部の移動範囲の下方に配置された部分の上端位置は、ベース部の内底面における第二領域の上方にある箇所よりも低い位置に設けられていてもよい。
【００４１】
このように構成された画像処理装置によれば、読取部の移動範囲の下方においては、ホルダの上端位置が、ベース部の内底面における第二領域の上方にある箇所よりも低い位置にある。したがって、ベース部の内底面における第二領域の上方にある箇所よりも高い位置において作動する読取部が、ホルダに接触するのを避けることができる。
【００４２】
また、本開示の画像処理装置において、凹部には、ベース部に対する検出部の相対位置を位置決め可能な位置決め部が設けられていてもよい。
このように構成された画像処理装置によれば、位置決め部を利用してベース部に対する検出部の相対位置を位置決めすることができるので、検出部をベース部に取り付ける際に、検出部を設計通りの位置に精度よく取り付けることができる。
【００４３】
また、本開示の画像処理装置は、一端が光センサに接続され、他端が電子回路基板に接続されるケーブルを備え、ホルダは、ケーブルを保持するケーブル保持部、及び光センサを保持するセンサ保持部を備え、ケーブルは、ケーブル保持部とベース部との間となる位置に配置されていてもよい。
【００４４】
このように構成された画像処理装置によれば、ケーブルを設計通りの位置に配線することができ、そのような位置に配線されたケーブルが浮き上がるのを抑制できる。
また、本開示の画像処理装置において、ケーブル保持部には、ケーブルが引っ掛けられることにより、ケーブルがケーブル保持部から外れるのを抑制する爪が設けられていてもよい。
【００４５】
このように構成された画像処理装置によれば、爪にケーブルが引っ掛けられることにより、ケーブルがケーブル保持部から外れにくくなっている。したがって、例えば組み立て作業時等に、ケーブルを扱いやすくすることができる。
【００４６】
また、本開示の画像処理装置において、ケーブル保持部には、ベース部に引っ掛かることにより、ケーブル保持部がベース部から離れる方向へ変位するのを規制する規制部が設けられていてもよい。
【００４７】
このように構成された画像処理装置によれば、規制部をベース部に引っ掛けることにより、ケーブル保持部をベース部から離れないようにすることができ、ケーブル保持部がベース部から浮き上がるのを抑制することができる。
【００４８】
また、本開示の画像処理装置において、規制部は、ケーブルに接触することにより、ケーブルが規制部を挟んでケーブルとは反対側にある位置へと変位することをも規制していてもよい。
【００４９】
このように構成された画像処理装置によれば、規制部でケーブルの変位をも規制しているので、規制部と爪が協働して、ケーブルをケーブル保持部から外れにくくすることができる。
【００５０】
また、本開示の画像処理装置において、ホルダは、ケーブル保持部が一方向に延びる形状とされて、その長手方向の一端にセンサ保持部が設けられた構造とされており、しかも、ホルダは、センサ保持部が設けられた端部に、ベース部が有する被挿入部に挿し込まれる挿入部を有し、センサ保持部が設けられた端部とは反対側の端部に、ベース部に対してねじ止めされるねじ止め部を有し、挿入部を被挿入部に挿し込んでから、ねじ止め部をベース部に対してねじ止めすることにより、ホルダをベース部に対して取り付け可能に構成されていてもよい。
【００５１】
このように構成された画像処理装置によれば、挿入部を被挿入部に挿し込んでから、ねじ止め部をベース部に対してねじ止めする、という簡単な作業により、ホルダをベース部に取り付けることができる。
【００５２】
また、本開示の画像処理装置において、支持部は、上方から見て四角形に構成されて、その四つの角のうち、一つの角に対応する位置に原点位置が設定され、読取部は、主走査方向に配列された複数の読取素子を、副走査方向へ移動させながら、読取対象の画像を読み取り可能に構成され、検出部は、Ａ４サイズの読取対象を支持部によって支持した際に、読取対象の長辺と副走査方向とを一致させて読取対象の角を原点位置に合わせると、読取対象の存在を検出可能、かつ、読取対象の長辺と主走査方向とを一致させて読取対象の角を原点位置に合わせると、読取対象の存在を検出不能となる位置に配置されていてもよい。
【００５３】
このように構成された画像処理装置によれば、検出部によって読取対象の存在を検出できれば、Ａ４サイズの読取対象かつ読取対象の長辺と副走査方向とが一致する場合（すなわち、Ａ４横の場合。）、又はＡ３サイズの読取対象である場合（すなわち、Ａ３横の場合。）、いずれかの場合であると推定できる。また、検出部によって読取対象の存在を検出できなければ、Ａ４サイズの読取対象かつ読取対象の長辺と主走査方向とが一致する場合（すなわち、Ａ４縦の場合。）であると推定できる。Ａ４横の場合であるのか、Ａ３横の場合であるのかは、読取部によって読取対象の画像の読み取りを開始すれば、判別することができる。したがって、上述のような位置に検出部を配置すれば、読取部での読み取り結果も踏まえて、Ａ３横の場合、Ａ４横の場合、及びＡ４縦の場合の全てについて、適切に判別を行うことができる。
【符号の説明】
【００５４】
１…複合機、２…本体ユニット、３…読取ユニット、４…自動原稿搬送ユニット（ＡＤＦユニット）、５…操作パネル、７…取り出し口、９…媒体供給カセット、１１…ベース部、１３…支持部、１５…読取部、１７…検出部、２１…画像形成部、２１Ａ…記録ヘッド、２３…制御部、２３Ａ…電子回路基板、２５…カバー、２５１…第一領域、２５２…第二領域、２５３…第三領域、３１…収容部、３３…凸部、３５…光センサ、３５Ａ…投光素子、３５Ｂ…受光素子、３７…ホルダ、３９…ケーブル、４１…ケーブル保持部、４３…センサ保持部、４５…爪、４７…規制部、４９…受け部、５１…挿入部、５３…被挿入部、５５…位置決め部、５７…当て部、５９…ねじ止め部、６１…ねじ、６５…凹部。
【図１】
0006740637.tif 000002
【図２】
0006740637.tif 000003
【図３】
0006740637.tif 000004
【図４】
0006740637.tif 000005
【図５】
0006740637.tif 000006
【図６】
0006740637.tif 000007
【図７】
0006740637.tif 000008
【図８】
0006740637.tif 000009